(57)【要約】【課題】風向変更装置の着脱を行う際に，一般ユーザが容易に且つ安全に着脱することができる風向変更装置を提供すること。【解決手段】上記風向変更装置の揺動軸の一端が揺動モータに連結して支持されてなる空気調和機において，上記揺動軸の他端を掛止する溝部を設け，該溝部を覆うと共に上記揺動軸を軸支するカバーを設ける。これにより，上記風向変更装置の着脱方法が判りやすくなるため，その着脱が簡便になる。また，上記カバーの開閉及び風向変更装置の着脱を検出する手段を設け，かかる検出結果に基づいて上記揺動モータを制御することにより，風向変更装置の着脱，或いは清掃が安全且つ容易になる。【選択図】図１
2004198046.tif 000002
【特許請求の範囲】
【請求項１】
送風装置本体に着脱可能な風向変更装置と，該風向変更装置を揺動させる揺動モータとを具備し，前記風向変更装置の両端に突出する揺動軸の一端が，前記揺動モータに連結してなる送風装置において，
前記送風装置本体に前記揺動軸の他端を掛止する溝部が設けられ，前記溝部を覆い前記揺動軸が外れないようにカバーが設けられてなることを特徴とする送風装置。
【請求項２】
前記溝部が，前記揺動軸を掛止するようＬ字状若しくは鉤状に形成されたものである請求項１に記載の送風装置。
【請求項３】
前記カバーは，ヒンジ部により前記送風装置本体に軸支されており，所定の開度までは前記カバーと前記ヒンジ部とが一体若しくは別体に開閉動作を行い，前記所定の開度を越える範囲では前記カバーのみが開閉動作を行う２段階開閉手段を更に具備するものである請求項１又は２に記載の送風装置。
【請求項４】
前記ヒンジ部は２つの回転支持部を具備しており，第１の回転支持部は前記カバーに取り付けられ，第２の回転支持部は前記送風装置本体に取り付けられる構成をしたものであって，
前記２段階開閉手段が，前記所定の開度までは前記第２の回転支持部を中心にして前記カバーと前記ヒンジ部とが一体若しくは別体に開閉動作を行い，前記所定の開度を越える範囲では前記第１の回転支持部を中心にして前記カバーのみが開閉動作を行うものである請求項１〜３のいずれかに記載の送風装置。
【請求項５】
前記揺動軸の一端と前記揺動モータとが相互に嵌合する軸継手により連結されており，
前記揺動軸の嵌合部の断面が正多角形に形成され，前記揺動軸側の軸継手の嵌合部の断面が，前記揺動軸と嵌合可能な正多角形若しくは該正多角形と同数の頂点を有する星形に形成されたものである請求項１〜４のいずれかに記載の送風装置。
【請求項６】
前記揺動軸側の軸継手の嵌合部内面形状が，揺動軸側に向かって末広がり状に形成され，前記嵌合部の端部の内径が前記揺動軸径より大径になるよう形成されたものである請求項１〜５のいずれかに記載の送風装置。
【請求項７】
前記カバーの開閉を検出するカバー開閉検出手段を更に具備するものである請求項１〜６のいずれかに記載の送風装置。
【請求項８】
前記溝部に掛止される揺動軸の掛止有無を検出する揺動軸掛止検出手段を更に具備するものである請求項１〜７のいずれかに記載の送風装置。
【請求項９】
前記カバー開閉検出手段及び／又は前記揺動軸掛止検出手段の検出結果に基づいて，前記揺動モータの駆動を制御するモータ制御手段を更に具備するものである，請求項１〜８のいずれかに記載の送風装置。
【請求項１０】
請求項１〜９のいずれかに記載の送風装置を具備してなることを特徴とする空気調和機。
【発明の詳細な説明】
【０００１】
【発明の属する技術分野】
本発明は，送風装置本体に着脱可能な風向変更装置を備える送風装置に関し，特に容易且つ安全に風向変更装置の着脱が可能な送風装置及び空気調和機に関するものである。
【０００２】
【従来の技術】
従来，この種の着脱可能な風向変更装置を備えた空気調和機としては，例えば特許文献１〜３に記載されたものが知られている。
【０００３】
特許文献には，前記風向変更装置の着脱手段として，空気調和機本体ケース側に２個のスライド可能な係合部材を設けると共に，風向変更装置側に，前記係合部材と係合自在な孔部を設け，ユーザが前記２個のスライド可能な係合部材を両手で摺動させて，係合部材と前記孔部との係合を解除して，風向変更装置を空気調和機本体ケースから取り外すようにしている。風向変更装置を取り付ける場合も同様の操作がなされる。
【０００４】
特許文献２には，空気調和機本体ケースに着脱可能な風向変更装置に複数の係合爪が設けられ，空気調和機本体ケース側には前記係合爪が係合する複数の係合溝が設けられた空気調和機が提案されており，ユーザが前記風向変更装置の上端部に位置する前記係合爪を下方に押し下げることにより，風向変更装置と空気調和機本体ケースの係合解除を容易に行なえるようにしている。
【０００５】
特許文献３は，吹出口に備えられた風向変更手段であるユニット化された縦ルーバの係合爪を，空気調和機本体ケースに設けられた凹部に係合することにより，前記縦ルーバユニットの着脱を容易にし，空気調和機内部の清掃，メンテナンスの作業性を向上しようとするものである。
【０００６】
【特許文献１】
特開２００１−３２４１６１号公報
【特許文献２】
特開２００１−２０１０９０号公報
【特許文献３】
特開平９−４９１６号公報
【０００７】
【発明が解決しようとする課題】
しかしながら，前記各特許文献記載の風向変更装置の着脱手段は，いずれも係止爪と被係合溝との係合により成り立っており，係合爪が被係合溝に差し込まれて係合が達成されるものであるため，被係合溝に嵌まっている係合爪は見えないので，その係合解除方法が判りにくい構造をしている。しかし，通常，風向変更装置の取り外しは，その清掃時に不慣れなユーザによって行なわれるのであるが，前記着脱手段では，上述のように係止爪の位置が明確でない等の理由により係合解除方法が判りにくいため，風向変更装置の着脱を容易に行うことができず，この場合，ユーザが無理やり風向変更装置を取り外すことによって，その係合部が破損する恐れがあり問題であった。更に，係合部が破損された状態で風向変更装置が取り付けられることによって，風向変更装置が空気調和機から脱落する危険性を伴っていた。
従って，本発明は前記事情に鑑みてなされたものであり，その目的とするところは，一般ユーザが，容易に且つ安全に風向変更装置を着脱することができる風向変更装置を具備する空気調和機を提供することにある。
【０００８】
【課題を解決するための手段】
前記目的を達成するために本発明は，送風装置本体に着脱可能な風向変更装置と，該風向変更装置を揺動させる揺動モータとを具備し，前記風向変更装置の両端に突出する揺動軸の一端が，前記揺動モータに連結してなる送風装置において，前記送風装置本体に前記揺動軸の他端を掛止する溝部が設けられ，前記溝部を覆い前記揺動軸が外れないようにカバーが設けられてなることを特徴とする送風装置として構成されている。
これにより，風向変更装置の着脱方法が判りやすくなるため，風向変更装置の着脱が簡便になる。その結果，風向変更装置の取付部が破損する恐れ，或いは風向変更装置の脱落による危険性がなくなるため，ユーザは容易且つ安全に風向変更装置の着脱及び清掃等の作業を行うことができる。また，前記カバーが前記溝部を覆うことにより，前記風向変更装置及びその揺動軸が外れないように取り付けられるので，別途前記揺動軸の軸受機構等を設ける必要がなくなり，風向変更装置の取付構造が簡素化される。
この場合，前記溝部が，前記揺動軸を掛止するようＬ字状若しくは鉤状に形成されたものであることが望ましい。これにより不用意に前記カバーを外したとしても，風向変更装置が脱落する危険がなくなり安全である。
【０００９】
また，前記カバーは，ヒンジ部により前記送風装置本体に軸支されており，所定の開度までは前記カバーと前記ヒンジ部とが一体若しくは別体に開閉動作を行い，前記所定の開度を越える範囲では前記カバーのみが開閉動作を行う２段階開閉手段を更に具備するものが考えられる。
この場合，前記ヒンジ部は２つの回転支持部を具備しており，第１の回転支持部は前記カバーに取り付けられ，第２の回転支持部は前記送風装置本体に取り付けられる構成をしたものであって，前記２段階開閉手段が，前記所定の開度までは前記第２の回転支持部を中心にして前記カバーと前記ヒンジ部とが一体若しくは別体に開閉動作を行い，前記所定の開度を越える範囲では前記第１の回転支持部を中心にして前記カバーのみが開閉動作を行うものであることが望ましい。
これにより，カバーがコンパクトに折りたたまれるため，該カバーに干渉されない風向変更装置の着脱が可能となる。
【００１０】
また，前記揺動軸の一端と前記揺動モータとが相互に嵌合する軸継手により連結されており，前記揺動軸の嵌合部の断面が正多角形に形成され，前記揺動軸側の軸継手の嵌合部の断面が，前記揺動軸と嵌合可能な正多角形若しくは該正多角形と同数の頂点を有する星形に形成されたものであれば，前記揺動軸が嵌合部に挿入されやすくなり，風向変更装置が容易に取り付けられるという効果を奏する。また，揺動軸と軸継手が堅固に嵌合されるので，当該嵌合部のガタがなくなり，風向変更装置の作動時の騒音が抑えられる。
更にこの場合，前記揺動軸側の軸継手の嵌合部内面形状が，揺動軸側に向かって末広がり状に形成され，前記嵌合部の端部の内径が前記揺動軸径より大径になるよう形成されたものであれば，前記揺動軸を嵌合するにあたり，ユーザがその嵌合部の位置を正確に把握していない場合であっても，スムーズに揺動軸を挿入して嵌合することができる。
【００１１】
また，前記カバーの開閉を検出するカバー開閉検出手段を更に具備するものであってもよく，前記溝部に掛止される揺動軸の掛止有無を検出する揺動軸掛止検出手段を更に具備するものであってもよい。
このカバー開閉検出手段及び／又は揺動軸掛止検出手段の検出結果に基づいて，例えば前記揺動モータを停止させて風向変更装置を作動させないようにすることで，風向変更装置の着脱，或いは清掃が安全且つ容易になるという効果がある。
【００１２】
【発明の実施の形態】
以下，添付図を参照しながら，本発明の一実施形態について説明し，本発明の理解に供する。尚，以下の実施形態は，本発明を具体化した一例であって，本発明の技術的範囲を限定する性格のものではない。
図１〜図３は本発明の一実施形態に係る空気調和機Ａを示す図である。ここに，図１は本発明の実施形態に係る空気調和機Ａの全体斜視図であり，図１（ａ）は風向変更装置２が取り付けられた状態の空気調和機Ａの斜視図，図１（ｂ）はカバー３０が開けられた状態の空気調和機Ａの斜視図，図１（ｃ）は空気調和機Ａから風向変更装置２が取り外された状態を示す斜視図である。図２は本発明の実施形態に係る空気調和機Ａの中央部側断面図，図３は本発明の実施形態に係る空気調和機Ａのカバー取り付け部の側断面図である。
まず，図１を用いて，本発明の一実施形態に係る空気調和機Ａの外観について説明する。当該空気調和機Ａは，キャビネット６やドレンパン７等から構成される横長の空気調和機本体ケース１と，空気調和機Ａの下部に配置され，空気吹出口を兼ね備えた着脱可能な風向変更装置２と，風向変更装置２の取付保持機構を構成するカバー３０と，揺動モータ２０（図７参照）を収納する揺動モータ収納部２３と，を具備してその外観が構成されている。
前記風向変更装置２は，空気の吹出方向を上下に制御する複数の横方向に長い板状の上下ルーバ２５を具備している。また，図示しないが空気の吹出方向を左右に制御する左右ルーバが設けられていてもよい。前記風向変更装置２を構成するルーバ２５の両端には揺動軸２ａ（カバー３０側）と２ｂ（揺動モータ２０側）とが突出して形成されている。
【００１３】
次に，図２及び図３を用いて，空気調和機Ａの内部構造について説明する。
当該空気調和機Ａには，室内空気を吸い込み，熱交換された空気を室内に送り出す送風機５と，塵埃を除去する不図示のフィルタを備え前記送風機５の回転によって室内空気を取り入れる空気吸込口３と，室内空気を媒体として熱交換を行う熱交換器４と，が設けられており，前記送風機５の回転によって空気吸込口３から吸い込まれた室内空気は，熱交換器４を通ることで熱交換され，前記風向変更装置２の周囲を通って空気吹出口２６から室内に送り出される。この時，前記風向変更装置２は，前記揺動モータ２０により揺動軸２ａ，２ｂを中心にして前記上下ルーバ２５を上下方向に揺動させることにより，空気調和機Ａの内部で熱交換された空気の吹出方向を上下に揺動させる。
更に，前記風向変更装置２の図１における左側側端部には，図３に示されるように，前記風向変更装置２を支持等するカバー３０を空気調和機本体ケース１に取り付けるためのヒンジ４０（ヒンジ部の一例）と，空気調和機Ａのキャビネット６に設けられ該ヒンジ４０を空気調和機本体ケースに取り付けるためのケース側ヒンジ取付軸（第２の回転支持部の一例）６Ｃとが備えられている。カバー３０，ヒンジ４０等の取付状態については後段に詳述する。
尚，図２中の８は前面パネル，９はオープンパネルである。
【００１４】
図４を用いて，カバー３０，ヒンジ４０，及びケース側ヒンジ取付軸６ｃの取付構造について詳述する。図４（ａ）はカバー３０，ヒンジ４０，ケース側ヒンジ取付軸６Ｃの分離状態におけるそれぞれの斜視図であり，図４（ｂ）は，カバー３０がヒンジ４０によってケース側ヒンジ取付軸部６Ｃに軸着して取り付けられている状態を示す斜視図である。
【００１５】
図４において，ヒンジ４０は，前記空気調和機本体ケース１にカバー３０を取り付けるためのものである。本実施形態では略コの字形状のヒンジを採用する。該ヒンジ４０は２つの回転軸受４０ａ，４０ｂを具備しており，その第１の回転軸受（第１の回転支持部の一例）４０ａは，後述するように前記カバー３０側と係合し，他の第２の回転軸受（第２の回転支持部の一例）４０ｂは，空気調和機本体ケース１側と係合する。具体的には，第１の回転軸受４０ａが前記カバー側ヒンジ取付軸３０ｄと係合し，第２の回転軸受４０ｂが前記本体ケース１側のヒンジ取付軸部６Ｃと係合する。このように接続されて，前記カバー３０が前記ヒンジ４０によって空気調和機本体ケース１に取り付けられる（図４（ｂ））。
また，ヒンジ４０には，前記第２の回転軸受４０ｂ近傍に，カバー３０が開閉されるときに作用する２つの係止リブ４０ｄ，４０ｅが形成されている。その１つはカバー３０が閉じられるときに，ある一定位置以上ヒンジ４０が閉方向へ回転しないようにする閉用係止リブ４０ｄであって，例えば図５（ａ）に示すように，キャビネット６に形成される閉用ストッパー６ａと当接することにより，ヒンジ４０が前記閉用ストッパー６ａより閉方向へ図５（ａ）の位置以上に回転動作しないように制限している。他の１つはカバー３０が開けられるときに，図５（ｂ）に示すように，ある一定範囲を越えてヒンジ４０が開方向へ回転しないようにする開用係止リブ４０ｅであって，例えばキャビネット６に形成される開用ストッパー６ｂに当接することにより，ヒンジ４０が図５（ｂ）の位置より開方向へ回転動作しないように制限している。即ち，ヒンジ４０は図５の（ａ）の位置から（ｂ）の位置までの間のみ回転動作するものである。
更に，ヒンジ４０には，前記カバー３０に設けられた係止爪３０ｂと図５（ａ−１），（ｂ−１）に明示するように係合するカバー係止リブ４０ｃが設けられている。図５（ａ），（ｂ）に示す位置において，前記係止爪３０ｂが前記カバー係止リブ４０ｃと係合することにより前記カバー３０と前記ヒンジ４０とが一体化される。
【００１６】
図４において示されるカバー３０は，図１（Ｃ）のように開いた状態で開放された溝部７ａを図１（ａ）のように閉じることで覆うと共に，風向変更装置２の揺動軸２ａを軸支するものである。更に，当該カバー３０には，ヒンジ４０側に設けられた前記カバー係止リブ４０ｃと当接することにより係合してカバー３０がヒンジ４０に対して図５（ａ）の状態より時計方向に回転しないようにすると共に，当該カバー３０と前記ヒンジ４０とを一体化する係止爪３０ｂと，キャビネット６に設けられた係合部６ｄと係合して当該カバー３０の閉状態を保持する係止片３０ｃと，が設けられている。また，図中のカバー３０の側部リブに設けられた係止リブ３０ａは，前記溝部７ａと重合することにより，前記揺動軸２ａを軸支するためのものである。かかる構造については後段において詳述する。
【００１７】
また，上述したケース側ヒンジ取付軸６ｃは，空気調和機Ａのキャビネット６に設けられ，該ヒンジ４０の第２の回転軸受と軸着して接続されるものである。本実施形態では，前記ケース側ヒンジ取付軸６ｃはキャビネット６に設けられる形態としたが，これに限られるものではなく，前記ヒンジ４０を空気調和機本体ケース１に取り付けられる箇所に設けられていれば足りる。
【００１８】
次に，図５を用いて，カバー３０及びヒンジ４０の開閉動作について説明する。
図５は空気調和機本体ケース１に取り付けられたカバー３０及びヒンジ４０の開閉動作の状態を示す図であり，図５（ａ）はカバー３０が閉じられた状態を示す側断面図，図５（ｂ）はカバー３０が一定範囲まで開かれたときの状態を示す側断面図，図５（ｃ）は図５（ｂ）の状態から更にカバー３０のみが開方向へ開かれたときの状態を示す側断面図である。
【００１９】
図５（ａ）に示されるカバー３０の閉状態は，係止片３０ｃと係合部６ｄとが係合することによって保持される。この状態は，カバー３０とヒンジ４０は，係止爪３０ｂとカバー係止リブ４０ｃが係合することにより一体化している状態である。図５（ｂ）矢印Ｘのように，カバー３０が開方向へ引かれることによって，前記係止片３０ｃと係合部６ｄとの係合が解除されると，前記カバー３０は前記ヒンジ４０と一体化したまま，ケース側ヒンジ取付軸６ｃを中心に開動作（開方向へ回転動作）を行う。かかる開動作により，カバー３０は図５（ｂ）に示すように，開用係止リブ４０ｅが開用ストッパー６ｂに当たる位置（中間開度位置）まで回転動作し，カバー３０がこの位置まで開かれると一旦その開動作を停止する。
ここで，カバー３０が更に開方向へ押し込まれることにより，係止爪３０ｂとカバー係止リブ４０ｃの係合が解除され，カバー３０だけがカバー側ヒンジ取付軸３０ｄを中心に矢印Ｙで示すように更に開動作を行う（図５（ｃ））。
【００２０】
前記カバー３０を図５（ｃ）の開状態からカバー３０を閉じる場合は，基本的に上に述べた開動作と逆の手順を行う。つまり，カバー３０が押し上げられることにより，ヒンジ４０は，閉用係止リブ４０ｄが閉用ストッパー６ａに当たる位置（閉位置）まで閉動作（閉方向へ回転動作）を行い，その後は，カバー３０のみがカバー側ヒンジ取付軸３０ｄを中心に閉動作をする。かかる閉動作が上述の開動作と異なる点は，前記係止爪３０ｂと前記カバー係止リブ４０ｃとが係合されていない点である。閉動作時においては，前記係止爪３０ｂと前記カバー係止リブ４０ｃとは，前記閉位置で前記ヒンジ４０が停止している状態で，前記カバー３０が更に閉方向へ押し込まれることにより係合される。そして，更に，前記カバー３０が押し込まれることにより，係止爪３０ｃと係合部６ｄとが係合されて，カバー３０が完全に閉じられる。
【００２１】
このように，前記図５（ｂ）に示す中間開度まではケース側ヒンジ取付軸６ｃを中心にして前記カバー３０と前記ヒンジ４０とが一体に開動作を行い，前記中間開度を超える開閉範囲では前記カバー３０のみが開動作を行うという段階的な開閉動作が，即ち２段階開閉手段により実現される。
かかる段階的な開閉動作が行われることにより，空気調和機Ａの下方へ飛び出しているカバー３０が開方向へコンパクトに折りたたまれるため，カバー３０に干渉されない風向変更装置２の着脱が可能となる。
【００２２】
次に図６を用いて，前記風向変更装置２の両端に突出する揺動軸の前記カバー側の揺動軸２ａを，空気調和機Ａの本体ケース１に掛止するための溝部７ａの機構について説明する。図６は，図１（ｃ）に示される矢視Ｐから見た矢視図であり，図６（ａ）はカバー３０が開かれ，溝部７ａから風向開閉装置２が取り外された状態を示す図，図６（ｂ）は，溝部７ａに風向開閉装置２が掛止された後に，カバー３０が閉じられることにより，風向変更装置が軸支される状態を示す図である。ここでは，前記風向変更装置２の揺動軸２ａとは反対側の揺動軸２ｂは前記揺動モータ２０に連結して支持されていることを前提に説明する。
【００２３】
図６に示すように，空気調和機本体ケース１のドレンパン７に前記風向変更装置２の揺動軸２ａを掛止する溝部７ａが形成されている。従って，この場合，前記揺動軸２ａがこの掛止位置７ｃから脱落せずにその位置で掛止して保持されるためには，前記溝部７ａの形状がＬ字状若しくは鉤状に形成されていることが望ましい。このように溝部７ａが形成されることにより，不用意に前記カバー３０を開けたとしても，風向変更装置２が脱落する危険がなくなり安全である。
尚，本実施形態では溝部７ａはドレンパン７に設けられるものとして説明するが，特にこれに限られずに，風向変更装置２が空気調和機Ａに掛止され得る箇所に形成されていれば足りる。
【００２４】
また，風向変更装置２が溝部７ａに掛止された後に図６（ａ）の状態から（ｂ）のように前記カバー３０が閉じられることにより，該カバー３０は前記溝部７ａを覆うと共に前記係止リブ３０ａにより前記揺動軸２ａを軸支する。この係止リブ３０ａは，揺動軸２ａを適度に揺動回転できる程度に軸支するよう，揺動軸２ａの形状に適合した形に形成されている。すなわち，風向変更装置２の揺動軸２ａが前記溝部７ａに掛止された後，前記カバーを閉じるだけで前記風向変更装置２の一端の揺動軸２ａが位置決めと共に軸支される。
このように構成されることで，ユーザは揺動軸２ａを溝部７ａ内に差し込んでカバー３０を閉じるだけで良いから，不慣れなユーザであっても風向変更装置の着脱を簡便に行うことができる。その結果，風向変更装置２の取付部が破損する恐れ，或いは風向変更装置２の脱落による危険性がなくなるため，清掃等の作業が容易になる。また，前記カバー３０が溝部７ａを覆うことで揺動軸２ａの軸受を形成するので，別途軸受等の機構を設ける必要がなくなり，風向変更装置２の取付構造が簡素化される。
【００２５】
ここで，図６を用いて溝部７ａ近傍に設けられたカバー開閉検出手段の一例であるスイッチ３１について説明する。かかるスイッチ３１は，カバー３０が閉じられることにより，スイッチ３１の接点レバー３１ａがカバー３０に設けられた係止リブ３０ａ等で押し付けられて作動するような位置に設けられている（図６（ｂ））。これにより，カバー３０の開閉状態を検出することができる。また，前記スイッチ３１が，風向変更装置２の揺動軸２ａが掛止されることにより，前記接点レバー３１ａが押し付けられて作動するような位置に設けられていてもよい。これにより，前記揺動軸２ａの掛止の有無を検出することができ，即ち風向変更装置２の着脱状態を検出することができる。更に，前記スイッチ３１が２つの接点レバーを有するものであれば，カバー３０の開閉状態と風向変更装置２の着脱状態の双方をそれぞれ検出することが可能となる。
かかるスイッチ３１の検出結果に基づいて，例えば前記揺動モータを停止させて風向変更装置２を作動させないようにすることで，風向変更装置２の着脱，或いは清掃を安全且つ容易に行うことができる。
【００２６】
次に，図７〜図１０を用いて，風向変更装置２の揺動軸２ｂと揺動モータ２０との連結について説明する。かかる連結機構は空気調和機Ａのモータ収納部２３（図１参照）に収納されている。図７は風向変更装置２の駆動部の構成図，図８はモータ側軸継手の嵌合部の断面形状とモータの駆動軸の断面形状を示す図，図９はモータ側揺動軸２ｂの断面形状と軸受側軸継手の断面形状を示す図，図１０は揺動軸２ｂとモータ駆動軸２０ａの軸継手２１の拡大断面図である。
【００２７】
図７に示すように，揺動モータ収納部２３（図１参照）には，風向変更装置２を揺動させる揺動モータ２０と，前記風向変更装置２の揺動軸の一端である揺動軸２ｂと揺動モータ２０とを連結させる軸継手２１と，前面パネル８に形成された軸受８ａとにより構成されている。前記軸継手２１は軸受８ａに挿入され，前記軸継手２１の嵌合部２１ａに嵌め込まれた揺動モータ２０は，ねじ２２により前記前面パネル８に形成されたタップボス８ｂ等により空気調和機本体ケース１にねじ止して固定されている。
ここで，前記軸継手２１の嵌合部２１ａと前記揺動モータ２０の駆動軸２０ａの断面は，それぞれ図８に示すようにＤ形の断面形状をしている。これは，揺動モータ２０の駆動トルクを軸継手２１へ確実に伝達するためである。
【００２８】
前記風向変更装置２の揺動軸２ｂは，前記軸継手２１の嵌合部２１ｂに嵌め込まれることにより揺動モータ２０の駆動軸２０ａと連結される。この嵌合部２１ｂは，その内面形状が，揺動軸２ｂ側に向かって末広がり状に形成され（図１０），前記嵌合部２１ｂの端部の内径が前記揺動軸２ｂの径より大径になるよう形成されている。このように形成されることにより，前記揺動軸２ｂを嵌合するにあたり，ユーザがその嵌合部２１ｂの位置を正確に把握していない場合であっても，スムーズに揺動軸２ｂを挿入して嵌合することができる。また，揺動軸２ｂを自由に傾けることができる。
【００２９】
また，揺動軸２ｂの断面形状は図９（ａ−１）に示すような正方形で形成されており，対する前記軸継手２１の嵌合部２１ｂの断面は図９（ａ−２）に示すように正８角形で形成されている。これにより，揺動軸２ｂが嵌合部２１ｂへ挿入されやすくなり，揺動軸２ｂと軸継手２１の連結が容易となる。この場合，軸継手２１の嵌合部２１ｂの断面形状は図９（ａ−３）に示すように正八角形と同じ頂点を有する星形であってもよい。
また，揺動軸２ｂの断面形状が図９（ｂ−１）に示すような正三角形で形成されており，対する前記軸継手２１の嵌合部２１ｂの断面は図９（ｂ−２）に示すように正６角形で形成されていてもよい。またこの場合，軸継手２１の嵌合部２１ｂの断面形状は図９（ｂ−３）に示すように正６角形と同じ頂点を有する星形であってもよい。尚，これらの断面形状は本実施例に限られるものではない。
図７（ｂ）は風向変更装置２が揺動モータ２０に連結された状態を示す。
【００３０】
【発明の効果】
以上説明したように，本発明によれば，空気調和機の風向変更装置の揺動軸の一端が揺動モータに連結支持され，所定のカバーがＬ字状若しくは鉤状の溝部に掛止された他端の揺動軸を覆うと共に，前記揺動軸を軸支する構成を具備するので，風向変更装置の着脱方法が判りやすい。従って，風向変更装置の着脱が簡便に行なわれる。その結果，無理やり風向変更装置を取り外すことによる取付部の破損或いは風向変更装置の脱落による危険性がなくなるため，ユーザは容易に且つ安心して風向変更装置の着脱及び清掃等の作業を行うことができる。
更に，揺動軸と揺動モータとが容易に連結される構成を具備するので，よりいっそう風向変更装置の着脱の容易性を向上することが可能となる。
【図面の簡単な説明】
【図１】本発明の実施形態に係る空気調和機Ａの全体斜視図。
【図２】本発明の実施形態に係る空気調和機Ａの中央部側断面図。
【図３】本発明の実施形態に係る空気調和機Ａのカバー３０の取り付け部の側断面図。
【図４】風向変更装置２の揺動軸２ｂと揺動モータ２０との連結部分の詳細図。
【図５】空気調和機本体ケース１に取り付けられたカバー３０及びヒンジ４０の開閉動作の状態を示す図。
【図６】図１（ｃ）に示される矢視Ｐから見た矢視図。
【図７】風向変更装置の駆動部の構成図。
【図８】モータ側軸継手の嵌合部の断面形状とモータの駆動軸の断面形状を示す図。
【図９】モータ側揺動軸２ｂの断面形状と軸受側軸継手の断面形状を示す図。
【図１０】揺動軸２ｂとモータ駆動軸２０ａの軸継手２１の拡大断面図。
【符号の説明】
１…空気調和機本体ケース
２…風向変更装置
２ａ…揺動軸（カバー側）
２ｂ…揺動軸（モータ側）
３…空気吸込口
４…熱交換器
５…送風機
６…キャビネット
６ａ…閉用ストッパー
６ｂ…開用ストッパー
６ｃ…ケース側ヒンジ取付軸
６ｄ…係合部
７…ドレンパン
７ａ…溝部
７ｂ…揺動軸挿入口
７ｃ…揺動軸掛止位置
８…前面パネル
８ａ…軸受
９…オープンパネル
２０…揺動モータ
２０ａ…揺動モータ駆動軸
２１…軸継手
２２…モータ取付ねじ
２５…上下ルーバ
２６…空気吹出口
３０…カバー
３０ａ…係止リブ
３０ｂ…係止爪
３０ｃ…係止片
３０ｄ…カバー側ヒンジ取付軸
３１…スイッチ
３１ａ…接点レバー
４０…ヒンジ
４０ａ…第１の回転軸受
４０ｂ…第２の回転軸受
４０ｃ…カバー係止リブ
４０ｄ…閉用係止リブ
４０ｅ…開用係止リブ
【図１】
2004198046.tif 000003
【図２】
2004198046.tif 000004
【図３】
2004198046.tif 000005
【図４】
2004198046.tif 000006
【図５】
2004198046.tif 000007
【図６】
2004198046.tif 000008
【図７】
2004198046.tif 000009
【図８】
2004198046.tif 000010
【図９】
2004198046.tif 000011
【図１０】
2004198046.tif 000012